(57)【要約】【課題】エスカレータの乗客の乗り方状況を撮影するカメラの設置を、建屋構造やエスカレータ構造に影響を受けることのないエスカレータの監視装置の提供。【解決手段】傾斜して配置されるエスカレータ１，１ａ〜１ｃの移動手摺り２と建屋天井間の狭角部に、あるいは交差して隣接するエスカレータ１，１ａ〜１ｃの底部６，６ａ〜６ｃと移動手摺り２間の狭角部に配置されるとともに、前側位置に筒体を有し、乗客が挟まれることを防ぐ保護装置７を備えたエスカレータ配設構造に設けられ、保護装置７の前方に垂下される所定長の筒形状体９，９０１〜９０５と、この筒形状体９，９０１〜９０５の内部に収納される取付治具１１のカメラ取付円板１１Ａに設けた所定径の穴１１Ａ及び取付用穴１１ｂにカメラ１０とを備えた。【選択図】図１
2010265088.tif 000002
【特許請求の範囲】
【請求項１】
傾斜して配置されるエスカレータの移動手摺りと建屋天井間の狭角部に、あるいは交差
して隣接するエスカレータの底部と移動手摺り間の狭角部に配置されるとともに、前側位
置に筒体を有し、乗客が挟まれることを防ぐ保護装置を備えたエスカレータ配設構造に設
けられ、前記保護装置の前方に垂下される所定長の筒形状体と、この筒形状体の内部に収
納されるカメラとを備えたことを特徴とするエスカレータの監視装置。
【請求項２】
請求項１に記載のエスカレータの監視装置において、
前記筒形状体の内部に前記カメラと共に収納されて前記カメラを支持する取付治具を備え、この取付治具は、前記カメラの上部取付部に螺着され、中心に所定径の穴及びこの穴から所定半径の位置に所定角度間隔で設けられた複数個の取付用穴を有するカメラ取付円板と、端部近傍にそれぞれ設けられた一対の吊り用穴及びこの吊り用穴の所定寸法下方にそれぞれ設けられたねじ穴を有する一対の吊り板とから少なくとも構成され、
前記取付用穴を介して前記カメラを取付け、前記一対の吊り用穴に装着した吊り具にて前記カメラを設置した後、前記筒形状体の直径方向に設けた一対の穴を介し、前記各吊り板に設けられる前記ねじ穴にビスをそれぞれ螺着させ、前記筒形状体を垂下させたことを特徴とするエスカレータの監視装置。
【請求項３】
請求項２に記載のエスカレータの監視装置において、
前記筒形状体の上端部から少なくとも前記取付治具の下端部までの前記筒形状体の内周を覆うカバー体と、このカバー体の下端から、前記カメラの視野下端部から照射し、前記筒形状体における前記カメラの画角側の投影点までの長さを少なくとも有し、前記カメラの反画角側における前記筒形状体の略半周を覆う反射防止体とを備えたことを特徴とするエスカレータの監視装置。
【請求項４】
請求項３に記載のエスカレータの監視装置において、
前記カバー体と、前記反射防止体はＴ字状あるいはＬ字状の一体形状の不透明フィルムとし、前記カバー体の部分に前記筒形状体に設けた一対の穴に合致する複数対の穴を設け、前記取付治具のねじ穴に螺着する前記ビスを、前記筒形状体の内面に停止するようにしたことを特徴とするエスカレータの監視装置。
【発明の詳細な説明】
【技術分野】
【０００１】
本発明は、エスカレータの監視装置に係り、特にエスカレータの乗客の乗り方を撮影記録するのに好適なエスカレータの監視装置に関する。
【背景技術】
【０００２】
従来のエスカレータ配設構造において、建屋の上下階床間を傾斜して配置されるエスカレータの移動手摺りと、建屋天井間に形成される狭角部に、あるいは複数台のエスカレータを側面から見て交差するように併設したときに一方のエスカレータの移動手摺りと、他方のエスカレータの底部間に形成される狭角部に、乗客が挟まれることを防ぐ保護装置が備えられているものがある。各々の保護装置の前方端部には、所定径の筒体が設けられており、乗客が保護装置の筒体に衝突したとき危険を察知させ、その乗客に怪我をさせない構造となっている。
【０００３】
このようなエスカレータ配設構造に含まれるエスカレータにおいて、従来、乗客が何らかの原因で転倒し、あるいは挟まれ、転落するような事故が起こり得ることを考慮して、乗客のエスカレータの利用状況を撮影する監視用のカメラを備えるとともに、保護装置の揺れを検出するセンサを設け、このセンサが保護装置の揺れを検出した時点の前後所定時間の映像を記録するようにしたエスカレータの監視装置が提案されている（例えば、特許文献１参照）。
【０００４】
また、このようなエスカレータ配設構造に含まれるエスカレータにおいて、乗客が移動手摺りから乗り出し、保護装置に接触するまで狭角部の接近に気付かずに重大な事故に至るのを防止するため、保護装置の手前に吊設され、弾性体によって支持される検出体を設け、保護装置があることを事前に認知させるようにしたエスカレータの安全装置が提案されている（例えば、特許文献２参照）。
【先行技術文献】
【特許文献】
【０００５】
【特許文献１】特開２００２−１１４４７５号公報
【特許文献１】実開昭６１−１５４２７８号公報
【発明の概要】
【発明が解決しようとする課題】
【０００６】
上述した従来のエスカレータの監視装置は、保護装置の揺れを検出するセンサに接続される信号線をカメラの制御装置まで配線する必要があり、建屋側の配線工事による設置費用がかかる問題があった。
【０００７】
また、カメラは建屋側の天井または壁に設置することになり、取付個所が制限されるため、良好なカメラ視野が確保できないといった問題や、吹き抜け構造や壁面がガラス仕上げ、あるいは天井特殊仕上げ等の特殊構造の場合には、カメラを設置することができないといった問題があった。
【０００８】
更に、建物内の照明装置の光がカメラに入り、画像に光が写り込み肝心な個所が見え難くなるという現象があった。
【０００９】
また、保護装置に衝突する前に検出体の接触により、乗客に危険を知らしめるようにしても、エスカレータから身を乗り出している乗客だけが気付くものであり、仮にこの乗客が身を乗り出した状態のままであると、移動手摺りと建屋天井間の狭角部に頭を挟まれたり狭角部に衝突させる事故が発生し、他の乗客がこの状態に気付くのが遅れ、狭角部で事故を起こした乗客の救出や救急車呼び出しが遅れるという問題がある。
【００１０】
本発明の第１の目的は、エスカレータの乗客の乗り方状況を撮影するカメラの設置に対し、建屋構造やエスカレータ構造に影響を受けることのないエスカレータの監視装置を提供することにある。
【００１１】
本発明の第２の目的は、エスカレータの乗客の乗り方状況を撮影するカメラの取付け、取外し、調整が容易に行えるエスカレータの監視装置を提供することにある。
【００１２】
本発明の第３の目的は、エスカレータの乗客の乗り方状況を撮影するカメラに対し、建物内の照明や外光の影響を受け難いエスカレータの監視装置を提供することにある。
【００１３】
本発明の第４の目的は、カメラへの悪戯を防止するとともに、エスカレータから身を乗り出した乗客や周りの乗客に、注意喚起を行うエスカレータの監視装置を提供することにある。
【００１４】
本発明の第５の目的は、どのようなカメラでも取付が可能なエスカレータの監視装置を提供することにある。
【課題を解決するための手段】
【００１５】
上記の目的を達成するために、本発明のエスカレータの監視装置は、傾斜して配置されるエスカレータの移動手摺りと建屋天井間の狭角部に、あるいは交差して隣接するエスカレータの底部と移動手摺り間の狭角部に配置されるとともに、前側位置に筒体を有し、乗客が挟まれることを防ぐ保護装置を備えたエスカレータ配設構造に設けられ、前記保護装置の前方に垂下される所定長の筒形状体と、この筒形状体の内部に収納されるカメラとを備えたことを特徴としている。
【００１６】
このように構成した本発明は、エスカレータ周りの建屋の天井や壁の構造に影響されることなく、乗客の昇降状態を監視できる最良な位置に監視用のカメラを取付けることができる。
【００１７】
本発明に係るエスカレータの監視装置は、前記筒形状体の内部に前記カメラと共に収納されて前記カメラを支持する取付治具を備え、この取付治具は、前記カメラの上部取付部に螺着され、中心に所定径の穴及びこの穴から所定半径の位置に所定角度間隔で設けられた複数個の取付用穴を有するカメラ取付円板と、端部近傍にそれぞれ設けられた一対の吊り用穴及びこの吊り用穴の所定寸法下方にそれぞれ設けられたねじ穴を有する一対の吊り板とから少なくとも構成され、前記取付用穴を介して前記カメラを取付け、前記一対の吊り用穴に装着した吊り具にて前記カメラを設置した後、前記筒形状体の直径方向に設けた一対の穴を介し、前記各吊り板に設けられる前記ねじ穴にビスをそれぞれ螺着させ、前記筒形状体を垂下させたことを特徴としている。
【００１８】
このように構成した本発明は、取付治具にカメラを装着し、吊り用穴に装着した吊り具を介して取付治具及びカメラを設置することで、カメラのレンズの角度調整を行ってから筒形状体を取付治具に装着することができる。
【００１９】
本発明に係るエスカレータの監視装置は、前記筒形状体の上端部から少なくとも前記取付治具の下端部までの前記筒形状体の内周を覆うカバー体と、このカバー体の下端から、前記カメラの視野下端部から照射し、前記筒形状体における前記カメラの画角側の投影点までの長さを少なくとも有し、前記カメラの反画角側における前記筒形状体の略半周を覆う反射防止体とを備えたことを特徴としている。このように構成すると、反射防止体は筒形状体の内壁を反射してカメラの視野角度に入る光を抑制することができるので、カメラの画像に写り込みを減少させることができる。
【００２０】
本発明に係るエスカレータの監視装置は、前記カバー体と、前記反射防止体はＴ字状あるいはＬ字状の一体形状の不透明フィルムとし、前記カバー体の部分に前記筒形状体に設けた一対の穴に合致する複数対の穴を設け、前記取付治具のねじ穴に螺着する前記ビスを、前記筒形状体の内面に停止するようにしたことを特徴とする。
【００２１】
このように構成した本発明は、不透明フィルムがカメラや取付治具やケーブル等を隠すことができ、カメラへの悪戯を防ぐことができる。また、カバー体の複数対の穴を筒形状体の穴に合わせてビスを取り付けることにより、容易にカバー体及び反射防止体を筒形状体の内面に固定することができる。
【発明の効果】
【００２２】
請求項１記載の発明によれば、エスカレータ周りの建屋の天井や壁の構造に影響されることなく、乗客の昇降状態を監視できる最良な位置に監視用のカメラを取付けることができるとともに、カメラが筒体の内部に収納され、意匠性に優れた監視装置を提供できる。
【００２３】
また、請求項２の発明によれば、カメラを装着した取付治具を吊り用穴に装着した吊り具を介して吊下げることができるので、カメラの調整や取付けが簡単且つ短時間に行える。
【００２４】
また、請求項３の発明によれば、反射防止体は、筒形状体の内面を反射してカメラの視野角度に入る光を抑制し、カメラの画像に光の写り込みを減少させるので、判りやすい映像を提供することができる。
【００２５】
また、請求項４の発明によれば、筒形状体の上端部から取付治具の下端部を覆う不透明フィルムにより、カメラや取付治具やケーブル等を隠すことができる。また、前記カバー体の部分に前記筒形状体に設けた一対の穴に合致する複数対の穴を設けたことにより、容易にカバー体及び反射防止体を筒形状体の内面に固定することができる。
【図面の簡単な説明】
【００２６】
【図１】本発明に係るエスカレータの監視装置の第１実施形態が適用されるエスカレータの側面図である。
【図２】本発明に係るエスカレータの監視装置の第１実施形態の構成を示す縦断面図である。
【図３】本発明の第１実施形態に備えられる取付治具の構成を示す斜視図である。
【図４】図２のＤ−Ｄ線に沿う横断面図である。
【図５】本発明の第１実施形態に備えられるＬ字型の反射防止体の構成を示す展開図である。
【図６】本発明の第１実施形態の使用方法を説明する図である。
【図７】図２に示す筒形状体の上端要部を示す縦断面図である。
【図８】本発明に係るエスカレータの監視装置の第２実施形態が適用されるエスカレータの側面図である。
【図９】本発明の第２実施形態に備えられる取付治具の構成を示す斜視図である。
【図１０】本発明の第２実施形態に備えられるＴ字型の反射防止体の構成を示す展開図である。
【発明を実施するための形態】
【００２７】
以下、本発明に係るエスカレータの監視装置を実施するための形態を図に基づいて説明する。
【００２８】
［第１実施形態］
図１は本発明に係るエスカレータの監視装置の第１実施形態が適用されるエスカレータの側面図、図２は本発明に係るエスカレータの監視装置の第１実施形態の構成を示す縦断面図、図３は本発明の第１実施形態に備えられる取付治具の構成を示す斜視図、図４は図２のＤ−Ｄ線に沿う横断面図、図５は本発明の第１実施形態に備えられるＬ字型の反射防止体の構成を示す展開図、図６は本発明の第１実施形態の使用方法を説明する図、図７は図２に示す筒形状体の上端要部を示す縦断面図である。
【００２９】
図１に示すように、本発明に係るエスカレータの監視装置の第１実施形態は、エスカレータ１に適用される。このエスカレータ１は、上階床と下階床に跨って設置されており、乗客がつかまる移動手摺り２と、この移動手摺り２を支持する欄干３と、この欄干３を外側から保持する外デッキ４と、エスカレータ１を制御する制御装置５と、エスカレータ１の下方にオイルパン等が配設された底部６とを備えている。
【００３０】
また、本発明の第１実施形態は、エスカレータ１と同様のエスカレータ１ａ、１ｂ、１ｃを備え、合計で４台のエスカレータを有するものとする。ここで、エスカレータ１は１階から２階への上昇運転を行い、エスカレータ１ａは２階から１階への下降運転を行い、エスカレータ１ｂは２階から３階への上昇運転を行い、エスカレータ１ｃは３階から２階への下降運転を行うものである。
【００３１】
また、これらエスカレータ１ａ、１ｂ、１ｃは、互いに併設されて交差している。そして、エスカレータ１の移動手摺り２とエスカレータ１ａの底部６ａ間に形成される狭角部と、エスカレータ１の移動手摺り２とエスカレータ１ｂの底部６ｂ間に形成される狭角部とに、乗客が挟まれるのを防ぐために、乗客が触れたときの危険を気付かせるように揺動可能な保護装置７を配置してあり、またエスカレータ１ａの底部６ａに堅固に固定される保護装置８及びこの保護装置７の前方に筒形状体９を配置している。
【００３２】
この筒形状体９は、保護装置７に取付けられている筒体と同一材質の透明アクリル材から成り、揺動可能なように吊下げることで、乗客が衝突した際に怪我をしない構造となっている。また、筒形状体９の長さは吊り下げて下端が移動手摺２の上端より２００ｍｍ以上下方にあれば良い。
【００３３】
図２に示すように、筒形状体９の内部上端には、エスカレータ１の乗客を監視するカメラ、すなわち、エスカレータ１に対する乗客の乗り方を撮影するドーム１０Ａが装着されるカメラ１０を配置している。
【００３４】
また図３に示すように、取付治具１１は、中心にカメラ１０とエスカレータ１ａの底部６ａから外デッキ４を通って配線される配線ケーブル１９のケーブルコネクタ１９ａを接続するための所定径の穴１１ａと、カメラ１０の上部取付部に螺着させるための所定径の穴１１ａの中心から所定半径の円周上かつ中心から所定角度間隔に設けた複数個の取付用穴１１ｂとを有するカメラ取付円板１１Ａと、このカメラ取付円板１１Ａに設けられた所定径の穴１１ａを中心に対向して立設される一対の吊り板１１Ｂが設けられている。ここで、吊り板１１Ｂは、カメラ取付円板１１Ａから所定寸法上方に設けたねじ穴１１ｃと、吊り板１１Ｂの端部近傍に設けた吊り下げ金具１２に取付治具１１を装着する吊り具１３を取り付けるための一対の吊り用穴１１ｄとを設けている。
【００３５】
またこれらねじ穴１１ｃと吊り用穴１１ｄは、図１に示すようにエスカレータ１ａの底部６ａから筒形状体９を垂下させる場合、カメラ取付円板１１Ａが水平に保たれるように設けられている。
【００３６】
すなわち、エスカレータ１の底部６ａが水平方向に対して約３０°傾いている場合、図３に示すように、取付治具１１の吊り板１１Ｂは、吊り用穴１１ｄの延長線がエスカレータ１ａの底部６ａに平行かつカメラ取付円板１１Ａが水平になるようにどちらか一方を所定寸法延ばした構成を有し、また吊り用穴１１ｄは吊り板１１Ｂの上端部近傍にそれぞれ設けられている。
【００３７】
このように、エスカレータ１の底部６の傾斜角度によって、吊り用穴１１ｄの設置位置を調整したことで吊り具１３が同一形状のものが使えるとともにカメラ取付円板１１Ａが水平となるので、カメラ１０の視野角の調整を容易に行うことができる。
【００３８】
次に、建物に設けられる照明の光に対する影響を以下説明する。
【００３９】
図２に示すように、筒形状体９の内部に臨界角α０より小さい角度である入射角αで入った光Ｃが筒形状体９の内面を反射しながら進み、カメラの視野に入る現象、すなわち写り込みが発生する。この光の写り込みの対策として、少なくともカメラ視野に外光が達する前に筒形状体９の内面における反射を抑制する必要がある。
【００４０】
次に、筒形状体９のカメラ撮影方向の反対側半周に、シールの貼付や塗料等の反射防止体１５を設ければ写り込みは発生しないが、このような反射防止体１５を設ける範囲を説明する。
【００４１】
まず、入射角αの光Ｃが内径Ｄｉの筒形状体９の内面を反射し、筒形状体９の中心軸を通る垂直面内を進み、カメラ視野下端点Ａに達するとした場合、カメラ視野下端点Ａの二つ手前で反射する投影点Ｂとの距離Ｌ２は、Ｌ２＝２×Ｄｉ×ｔａｎαで求められる。前述したように、カメラ撮影方向の反対面に、上下方向にはカメラ視野下端点Ａから投影点Ｂにかけ、左右方向にはカメラの左右の視野角にかけてのシールの貼付もしくは塗料の塗布といった反射防止体１５を設けることによって、カメラ視野への外光の写り込みを抑えることができる。
【００４２】
また、入射角を臨界角α０から９０度に近づけるに従いＬ２は無限大に近づくので、理想的には筒形状体９の長さ方向の半面を全て反射防止体とすることが望ましいが、実際の照明条件を考えると入射角αが９０度近傍になることは稀であり、光の入射角αがα＜α０のものを主に抑えることとして、Ｌ２＝２×Ｄｉ×ｔａｎα０で求める長さでも十分な効果が得られる。
【００４３】
写り込みを効率的に抑制する範囲は、カメラ視野下端点ＡからＬ２＝２×Ｄｉ×ｔａｎα０で求めたＬ２の距離となり、本実施例では、シールの貼付もしくは塗料の塗布といった前述の反射防止体１５の寸法を、カメラ視野下端点Ａから筒形状体９の上端の距離Ｌ１と、カメラ視野下端点ＡからＬ２＝２×Ｄｉ×ｔａｎα０で求めたＬ２を加えた長さＬｄとし、反射防止体１５の貼付位置を計測せずに調整できるようにした。
【００４４】
また、図４に示すように、カメラ１０の左右の視野角θ２における筒形状体９の外周面の投影点Ｆ１，Ｇ１と、この外周面の投影点Ｆ１，Ｇ１から視野角θ２にて反カメラ視野側に延長した筒形状体９の内周面の投影点Ｆ２，Ｇ２とを求め、左右の視野角θ２においける光の写り込みは、最大、外周面の投影点Ｆ１，Ｇ１の円弧Ｌｂ１の範囲に反射防止体１５を設ければ良い。なお、最少でも筒形状体９の中心から内周面の接点Ｆ２，Ｇ２を延長させた外周面のそれぞれの接点で形成される円弧Ｌｂ２に設けた反射防止体１５でも、筒形状体９で反射する光がカメラ１０の左右の視野角θ２へ光が入り込まないので、十分な効果が得られる。
【００４５】
すなわち、カメラ１０の左右の視野角θ２に対する反射防止体１５は、円弧Ｌｂ２から円弧Ｌｂ１の範囲で、筒形状体９の内周面に設ければ良く、意匠面を考慮すれば筒形状体９の半周近傍が適している。
【００４６】
次に、図５に示すように、カバー体１６と反射防止体１５を合わせたＬ字状の一体形状の不透明フィルム１７は筒形状体９の上端からカバー体１６の下端までの長さＬａと長さＬｃを加えたＬｄと、円弧Ｌｂ２から円弧Ｌｂ１の範囲で筒形状体９の半周近傍の幅Ｗｄの寸法を有する短冊形状を成し、カメラ１０の角度に合った角位置に螺着できるように上部にビス１４が挿入可能な複数の穴１７ａを設け、カメラ１０側の内面を明度の低い例えば黒色として写り込みの影響を少なくし、反面はどのような色でも良く、注意喚起用の文言や図柄を描いても良いし、シール等を張り付けても良い。
【００４７】
カバー体１６と反射防止体１５を一体化したことで、Ｌ字型の不透明フィルム１７を切り出すとき無駄となる部分が生じるが、筒形状体９への装着は容易となり短時間に行うことができる。
【００４８】
また、Ｌ字状の不透明フィルム１７の材質は着色可能で容易に変形し、ポリエステル、塩化ビニル等の樹脂や紙、布でも良く、０．３ｍｍ厚さの塩化ビニルの取扱いが容易である。
【００４９】
カバー体１６は略帯状の形状をしており、このカバー体１６の上辺近傍には、筒形状体９の上端部と図示しない一対の穴の寸法と、この一対の穴間の寸法（筒形状体９内面の半周寸法）と同一寸法にてカバー体１６の上辺から２個の対の穴１６ａを設け、その穴のそれぞれの左右側にもそれぞれ１個の穴１６ａを設け、取付治具１１のねじ穴１１ｃに合わせてビス１４にて螺着することにより、カバー体１６は筒形状体９の内周と同一寸法の環状体となり、カバー体１６の上辺を筒形状体９の上端に合わせると、２個の穴１６ａは筒形状体９の図示しない一対の穴と合致する。
【００５０】
ここで、カバー体１６の材質は、Ｌ字状の不透明フィルム１７と同一のポリエステル、塩化ビニル等の樹脂や紙、布でも良く、Ｌ字状の不透明フィルム１７と同じ材質かつカメラ１０の上部と同系色とすれば、意匠的に望ましい。
【００５１】
次に、カメラ１０の取付手順を説明する。
【００５２】
図６及び図７に示すように、カメラ取付円板１１Ａの取付用穴１１ｂに図示しないビスを介してカメラ１０を取付け、取付治具１１の底面中心に設けた所定径の穴１１ａを介して、カメラ１０の上部取付部１０ａにエスカレータ１ａの底部６ａから外デッキ４を通って配線される配線ケーブル１９のケーブルコネクタ１９ａを接続し、また吊下げ金具１２はエスカレータ１ａの底部６ａに固定ボルト１２ａにて固定され、取付治具１１のカメラ取付円板１１Ａに対向して設立する吊り板１１Ｂの端部近傍にそれぞれ設けた一対の吊り用穴１１ｄにて、吊り具１３によりカメラ１０が揺動可能なように吊下げてカメラ１０の視野角の調整を行う。
【００５３】
このように、筒形状体９を取付けることなくカメラ１０の調整を実施できるので、作業を容易に行える。
【００５４】
また、着脱自在な所定長の光の反射防止体１５は、後述するが、上下視野角θ１の範囲より大きい長さ寸法を有し、カメラ１０の反画角側の筒形状体９における略半周を覆うように貼り付けている。
【００５５】
なお、この反射防止体１５には「カメラ作動中」や「乗りだし注意」という文章（イラストやマークでも可）を印刷することで、乗客の悪戯防止や狭角部への注意喚起を促す注意銘板を兼ねている。
【００５６】
また、裏面に印刷することで隣接するエスカレータの乗客からも視認することができる。ここで、反射防止体１５は、筒形状体９の内側に設けることにより、反射の抑制効果を大きくすることができる。
【００５７】
また、反射防止体１５は、筒形状体９の上端部から少なくとも取付治具１１の下端部までの長さを有し、筒形状体９の内面を覆う不透明フィルムで形成した帯状のカバー体１６を設けており、筒形状体９の内面と取付治具１１及びカメラ１０の間に装着され、カメラ１０や取付治具１１を見えにくくし、カメラ１０の存在を隠している（少なくとも筒形状体９上端部から取付治具１１下端部までの目隠しができれば良い）。
【００５８】
筒形状体９の下方部には、筒形状体９の下端に設けた穴と外デッキ４に設けた図示しない取付治具をワイヤ１８（チェーンでも可）で筒形状体９の過剰なる振れを防止している。
【００５９】
また、カメラ１０の映像データは、エスカレータ１ａの底部６ａから外デッキ４を通って配線される配線ケーブル１９を介して、外デッキ４に設置された監視部２０に内蔵される図示しない画像メモリへ記録されるようになっている。
【００６０】
なお、図１に示される各狭角部の保護装置７０１〜７０５の前方にも、図示しないカメラが内蔵された筒形状体９０１〜９０５が配置され、監視部２０１には筒形状体９０５に内蔵される図示しないカメラが接続され、監視部２０２には筒形状体９０１，９０２の２台の図示しないカメラが接続され、また監視部２０３にも筒形状体９０３，９０４の２台の図示しないカメラがそれぞれ接続されている。
【００６１】
次に、カバー体１６と反射防止体１５を一体形状としたＴ字状あるいはＬ字状の不透明フィルム１７の取付方法を説明する。
【００６２】
まず、準備作業として取付治具１１にカメラ１０を取付け、不透明フィルム１７が筒形状体９の内周面に当接するよう不透明フィルムの下方に曲線状の癖をつける（明度の低い黒色側が内側になるようにする）。
【００６３】
第１に、筒形状体９の内側に環状にした不透明フィルム１７を入れ、筒形状体９の図示しない一対の穴と不透明フィルム１７の穴１７ａを合わせる。
【００６４】
第２に、筒形状体９、不透明フィルム１７がずれないようにして、筒形状体９の上からカメラ１０を装着し、筒形状体９の図示しない穴と不透明フィルム１７の穴１７ａ及び取付治具１１のねじ穴１１ｃとが合致するように調整する。
【００６５】
第３に、ビス１４をねじ穴１１ｃに螺着させる。ここで、ビス１４は、図２に示す首下から所定寸法ねじ切りが成されていない段付ねじを使用することで、取付治具１１のねじ穴１１ｃにねじ１４を螺着するとき、筒形状体９の内壁に当接しない所定厚みのジスタントピースを用いれば、筒形状体９の取付け部のひびや割れを防止することができる。
【００６６】
また、首下からねじ切りされている一般のビス１４を使う場合は、筒形状体９と取付治具１１のねじ穴１１ｃ間に、筒形状体９の内壁に当接しない所定厚みのジスタントピースを用いれば、筒形状体９の取付け部のひびや割れを防止することができる。
【００６７】
このように、不透明フィルム１７を筒形状体９の内部に容易に装着可能となり、光による写り込みを効果的に抑制できると共に、落書きなどの悪戯も防止することができる。
【００６８】
ここで、カメラ１０の撮影方向とエスカレータの走行方向にずれが生じると、不透明フィルム１７の反射防止体１５に記載した文字が見え難くなるので、不透明フィルム１７の上部に設けた複数の穴１７ａを適宜変えることで、エスカレータの走行方向と不透明フィルム１７が同一方向となり、不透明フィルム１７の反射防止体１５の文字がエスカレータの乗客から読みやすい位置となる。
【００６９】
このように構成したので、狭角部に配置される保護装置７の前方に垂下される筒形状体９と、この筒形状体９の内部側に監視用のカメラ１０を収納するようにしたので、エスカレータ周りの建屋の天井や壁の構造に影響されることなく、乗客の昇降状態を監視することができる良好な位置に監視用のカメラを取付けることができ、建物の前述にて受けていたカメラの設置規制を解消させることができるとともに、このエスカレータの監視装置の設置費用を低減させることができる。他の筒形状体９０１〜９０５に関しても同様である。
【００７０】
また、カメラ１０が露出することなく筒形状体９の内部側に収納されるので優れた意匠性を確保することができるとともに、乗客のカメラ１０に対する悪戯を防ぐことができる。また、カメラ１０の取付治具１１の形状をカメラ取付円板１１Ａと吊り板１１Ｂを設けた形状としたことで、取付治具１１の部材や吊り具１３が筒形状体９の外周より外に出ることがないので、エスカレータ１の走行時に誤って筒形状体９の上端部に手を触れても怪我の発生を抑制できる。
【００７１】
また、筒形状体９０１に設けたカメラでは、エスカレータ１で上昇してくる乗客だけでなく、交差し隣接するエスカレータ１ａで下降してくる乗客も監視することができ、一台のカメラで広範囲の監視が可能となる。
【００７２】
また、不透明フィルム１７の反射防止体１５をカメラ１０の反画角側の約半周を覆うようにしたので、筒形状体９を介して反射した照明等の外光がカメラの視野角に入光することを阻止することができるため、建物の照明や外光による影響の少ない優れた映像を得ることができる。
【００７３】
また、不透明フィルム１７のカバー体１６を筒形状体９の上部内周面に設けたので、取付治具１１やカメラ上部取付部１０ａやケーブルコネクタ１９ａ等が乗客の目に付くことがないので、意匠性に優れたエスカレータの監視装置を提供することができる。
【００７４】
また、さらに、カバー体１６と反射防止体１５と一体形状としたので、筒形状体９の内面への取付が簡単かつ短時間に行え、カバー体１６の部分に筒形状体９に設けた一対の穴に合致する複数対の穴を設けたので、カメラの角度に影響せず、カメラの取付治具１１のねじ穴に螺着することができる。
【００７５】
［第２実施形態］
図８は本発明に係るエスカレータの監視装置の第２実施形態が適用されるエスカレータの側面図、図９は本発明の第２実施形態に備えられる取付治具の構成を示す斜視図、図１０は本発明の第２実施形態に備えられるＴ字型の反射防止体の構成を示す展開図である。
【００７６】
図８〜図１０に示すように、本発明の第２実施形態が前述した第１実施形態と異なるのは、単独に設置されたエスカレータ１に適用されることである。またこれに伴い、取付治具１１の一対の吊り板１１Ｂは、建屋天井６ｄから筒形状体９を垂下させた場合にカメラ取付円板１１Ａが水平になるように同じ大きさを有しており、また吊り用穴１１ｄの延長線が水平になるように吊り板１１Ｂの上端部近傍にそれぞれ設けられている。さらに、カバー体１６と反射防止体１５を合わせた一体形状の不透明フィルム１７はＬ字型ではなく、Ｔ字型が用いられており、その他の構成は第１実施形態と同じである。
【００７７】
このように構成した本発明の第２実施形態によれば、第１実施形態と同様の効果が得られる他、取付治具１１の吊り板１１Ｂが同じ大きさを有するので、取付治具１１を容易に作製することができる。また、建屋天井６ｄに対して一対の吊り板１１Ｂの向きを調整する必要がないので、取付治具１１を簡単に取付け及び取外すことができる。
【符号の説明】
【００７８】
１，１ａ〜１ｃ  エスカレータ
２  移動手摺り
６，６ａ〜６ｃ  底部
６ｄ  建屋天井
７，８  保護装置
９，９０１〜９０５  筒形状体
９Ａ  アクリル部
１０，２１  カメラ
１１  取付治具
１１Ａ  カメラ取付円板
１１Ｂ  吊り板
１１ａ  穴
１１ｂ  取付用穴
１１ｃ  ねじ穴
１１ｄ  吊り用穴
１２  吊下げ金具
１３  吊り具
１４  ビス
１５  反射防止体
１６  カバー体
１７  不透明フィルム
【図１】
2010265088.tif 000003
【図２】
2010265088.tif 000004
【図３】
2010265088.tif 000005
【図４】
2010265088.tif 000006
【図５】
2010265088.tif 000007
【図６】
2010265088.tif 000008
【図７】
2010265088.tif 000009
【図８】
2010265088.tif 000010
【図９】
2010265088.tif 000011
【図１０】
2010265088.tif 000012